(57)【要約】【課題】ＬＵＴのメモリ容量を削減することのできる色補正装置を提供する。【解決手段】色補正装置は、白色成分、赤色成分、緑色成分、青色成分、黄色成分、水色成分および紫色成分の各色を補正するための補正用データを生成する色補正用データ生成回路１０４と、色補正用データ生成回路１０４で生成された補正用データが格納されるルックアップテーブルを備え、入力映像信号に対して該ルックアップテーブルに基づく色補正を行う７軸色補正回路１０６と、を有する。【選択図】図１
2008235981.tif 000002
【特許請求の範囲】
【請求項１】
赤色成分、緑色成分、青色成分をそれぞれ示す第１、第２、第３の信号を含む映像信号を入力とし、該映像信号に基づいて生成される画像の色を補正する色補正装置であって、
前記第１乃至第３の信号のそれぞれについて、白色成分、黄色成分、水色成分および紫色成分をそれぞれ補正するための補正用データを生成するとともに、前記第１の信号について、前記赤色成分を補正するための補正用データを生成し、前記第２の信号について、前記緑色成分を補正するための補正用データを生成し、前記第３の信号について、前記青色成分を補正するための補正用データを生成する色補正用データ生成回路と、
前記色補正用データ生成回路で生成された補正用データが格納されるルックアップテーブルを備え、前記第１乃至第３の信号をそれぞれ入力とし、該第１乃至第３の信号について、前記ルックアップテーブルに基づく色補正を行う７軸色補正回路と、を有し、
前記色補正用データ生成回路は、指定された前記白成分の値と前記白成分の明度の変化を規定した特性とに基づいて、前記白色成分の補正データを作成するとともに、指定された前記白成分の値から前記赤色成分、緑色成分、青色成分、黄色成分、水色成分および紫色成分の各色への彩度または色相の変化を規定した特性に基づいて、該各色成分の補正データを作成し、
前記７軸色補正回路は、
前記第１乃至第３の信号のそれぞれについて前記白色成分の補正用データに基づく色補正を行い、
前記白色成分の色補正がなされた前記第１乃至第３の信号のそれぞれについて、前記黄色成分、水色成分および紫色成分の各補正用データに基づく色補正を行い、
前記白色成分の色補正がなされた前記第１の信号について、前記赤色成分の補正用データに基づく色補正を行い、
前記白色成分の色補正がなされた前記第２の信号について、前記緑色成分の補正用データに基づく色補正を行い、
前記白色成分の色補正がなされた前記第３の信号について、前記青色成分の補正用データに基づく色補正を行い、
前記赤色成分、黄色成分および紫色成分の各色補正がなされた信号に基づく第４の信号と、前記緑色成分、黄色成分および水色成分の各色補正がなされた信号に基づく第５の信号と、前記青色成分、水色成分および紫色成分の各色補正がなされた信号に基づく第６の信号とを含む信号を前記映像信号として出力する、色補正装置。
【請求項２】
前記７軸色補正回路は、
前記白色成分の補正用データを格納し、前記第１乃至第３の信号をそれぞれ入力とし、該第１乃至第３の信号のそれぞれについて、格納した前記白色成分の補正データに基づく色補正を行う第１のルックアップテーブルと、
前記赤色成分の補正用データを格納し、前記第１のルックアップテーブルで色補正された前記第１の信号を入力とし、該第１の信号について、格納した前記赤色成分の補正用データに基づく色補正を行う第２のルックアップテーブルと、
前記緑色成分の補正データを格納し、前記第１のルックアップテーブルで補正された前記第２の信号を入力とし、該第２の信号について、格納した前記緑色成分の補正データに基づく色補正を行う第３のルックアップテーブルと、
前記青色成分の補正データを格納し、前記第１のルックアップテーブルで補正された前記第３の信号を入力とし、該第３の信号について、格納した前記青色成分の補正データに基づく色補正を行う第４のルックアップテーブルと、
前記黄色成分の補正データを格納し、前記第１のルックアップテーブルで補正された前記第１乃至第３の信号を入力とし、該第１乃至第３の信号のそれぞれについて、格納した前記黄色成分の補正データに基づく色補正を行い、該色補正がなされた第１乃至第３の信号を加算した信号を出力する第５のルックアップテーブルと、
前記水色成分の補正データを格納し、前記第１のルックアップテーブルで補正された前記第１乃至第３の信号を入力とし、該第１乃至第３の信号のそれぞれについて、格納した前記水色成分の補正データに基づく色補正を行い、該色補正がなされた第１乃至第３の信号を加算した信号を出力する第６のルックアップテーブルと、
前記紫色成分の補正データを格納し、前記第１のルックアップテーブルで補正された前記第１乃至第３の信号を入力とし、該第１乃至第３の信号のそれぞれについて、格納した前記紫色成分の補正データに基づく色補正を行い、該色補正がなされた第１乃至第３の信号を加算した信号を出力する第７のルックアップテーブルと、を有する、請求項１に記載の色補正装置。
【請求項３】
前記７軸色補正回路は、
前記第２、第５および第７のルックアップテーブルの各出力を加算する第１の加算器と、
前記第３、第５および第６のルックアップテーブルの各出力を加算する第２の加算器と、
前記第４、第６および第７のルックアップテーブルの各出力を加算する第３の加算器と、
前記第１の加算器の出力を３で割った値を前記第４の信号として出力する第１の除算器と、
前記第２の加算器の出力を３で割った値を前記第５の信号として出力する第２の除算器と、
前記第３の加算器の出力を３で割った値を前記第６の信号として出力する第３の除算器と、をさらに有する、請求項２に記載の色補正装置。
【請求項４】
前記７軸色補正回路は、
前記第２および第５のルックアップテーブルの各出力を加算する第１の加算器と、
前記第３および第６のルックアップテーブルの各出力を加算する第２の加算器と、
前記第４および第７のルックアップテーブルの各出力を加算する第３の加算器と、
前記第１の加算器の出力を２で割った値を出力する第１の除算器と、
前記第２の加算器の出力を２で割った値を出力する第２の除算器と、
前記第３の加算器の出力を２で割った値を出力する第３の除算器と、
前記第７のルックアップテーブルの出力と前記第１の除算器の出力を加算する第４の加算器と、
前記第５のルックアップテーブルの出力と前記第２の除算器の出力を加算する第５の加算器と、
前記第６のルックアップテーブルの出力と前記第３の除算器の出力を加算する第６の加算器と、
前記第４の加算器の出力を２で割った値を前記第４の信号として出力する第４の除算器と、
前記第５の加算器の出力を２で割った値を前記第５の信号として出力する第５の除算器と、
前記第６の加算器の出力を２で割った値を前記第６の信号として出力する第６の除算器と、をさらに有する、請求項２に記載の色補正装置。
【請求項５】
前記白色成分の補正用データは、所定の表色系の三次元の色空間を二次元座標上の領域として表現した色度図上で前記白色成分について指定した座標点に基づいて、予め与えられた前記白成分の変化の度合いを示す特性に従って作成したデータであり、
前記赤色成分の補正用データは、前記色度図上で前記赤色成分について指定した座標点と前記白色成分について指定した座標点とを結ぶ直線または曲線を規定した特性に従って作成したデータであり、
前記緑色成分の補正用データは、前記色度図上で前記赤色成分について指定した座標点と前記白色成分について指定した座標点とを結ぶ直線または曲線を規定した特性に従って作成したデータであり、
前記青色成分の補正用データは、前記色度図上で前記青色成分について指定した座標点と前記白色成分について指定した座標点とを結ぶ直線または曲線を規定した特性に従って作成したデータであり、
前記黄色成分の補正用データは、前記色度図上で前記黄色成分について指定した座標点と前記白色成分について指定した座標点とを結ぶ直線または曲線を規定した特性に従って作成したデータであり、
前記水色成分の補正用データは、前記色度図上で前記水色成分について指定した座標点と前記白色成分について指定した座標点とを結ぶ直線または曲線を規定した特性に従って作成したデータであり、
前記紫色成分の補正用データは、前記色度図上で前記紫色成分について指定した座標点と前記白色成分について指定した座標点とを結ぶ直線または曲線を規定した特性に従って作成したデータである、請求項１乃至４のいずれか１項に記載の色補正装置。
【請求項６】
赤色成分、緑色成分、青色成分をそれぞれ示す第１、第２、第３の信号を含む映像信号に基づいて生成される画像の色を補正する色補正方法であって、
前記第１乃至第３の信号のそれぞれについて、白色成分、黄色成分、水色成分および紫色成分をそれぞれ補正するための補正用データを生成するとともに、前記第１の信号について、前記赤色成分を補正するための補正用データを生成し、前記第２の信号について、前記緑色成分を補正するための補正用データを生成し、前記第３の信号について、前記青色成分を補正するための補正用データを生成する第１のステップと、
前記第１乃至第３の信号について、前記第１のステップで生成した補正用データに基づく色補正を行う第２のステップと、を有し、
前記第１のステップは、指定された前記白成分の値と前記白成分の明度の変化を規定した特性とに基づいて、前記白色成分の補正データを作成するとともに、指定された前記白成分の値から前記赤色成分、緑色成分、青色成分、黄色成分、水色成分および紫色成分の各色への彩度または色相の変化を規定した特性に基づいて、該各色成分の補正データを作成するステップを含み、
前記第２のステップは、
前記第１乃至第３の信号のそれぞれについて前記白色成分の補正用データに基づく色補正を行うステップと、
前記白色成分の色補正がなされた前記第１乃至第３の信号のそれぞれについて、前記黄色成分、水色成分および紫色成分の各補正用データに基づく色補正を行うステップと、
前記白色成分の色補正がなされた前記第１の信号について、前記赤色成分の補正用データに基づく色補正を行うステップと、
前記白色成分の色補正がなされた前記第２の信号について、前記緑色成分の補正用データに基づく色補正を行うステップと、
前記白色成分の色補正がなされた前記第３の信号について、前記青色成分の補正用データに基づく色補正を行うステップと、
前記赤色成分、黄色成分および紫色成分の各色補正がなされた信号に基づく第４の信号と、前記緑色成分、黄色成分および水色成分の各色補正がなされた信号に基づく第５の信号と、前記青色成分、水色成分および紫色成分の各色補正がなされた信号に基づく第６の信号とを含む信号を前記映像信号として出力するステップと、を有する、色補正方法。
【発明の詳細な説明】
【技術分野】
【０００１】
本発明は、映像信号を表示または出力する映像機器に搭載され、表示または出力される映像の色が指定された色となるように映像信号に色補正を施す色補正装置に関する。
【背景技術】
【０００２】
デジタル映像信号の色補正には、ルックアップテーブル（ＬＵＴ）が用いられることが多い。ＬＵＴを用いた色補正では、入力映像信号を目的の色に変換するための補正データをＬＵＴに書き込んでおき、入力映像信号をそのＬＵＴを用いて変換する。赤（Ｒ）、緑（Ｇ）および青（Ｂ）の３色の映像信号を色補正する場合は、一般に、Ｒ信号、Ｇ信号、Ｂ信号のそれぞれに対応する補正データ（輝度データ）を格納した３次元ＬＵＴが用いられる。
【０００３】
特許文献１に、３次元ＬＵＴを用いたデータ変換方法が記載されている。このデータ変換方法では、３次元（ＸＹＺ）の色空間を複数の格子点から構成される立方体に領域分割し、立方体の各格子点での色補正値を格納した３次元ＬＵＴを用いて、各格子点での入力値を補間する。
【特許文献１】特開平２００４−３４１７６５
【発明の開示】
【発明が解決しようとする課題】
【０００４】
しかしながら、上述したような３次元ＬＵＴを用いて色補正を行う方法においては、３次元ＬＵＴは立方体の各格子点に関する色補正値を格納するように構成されているため、膨大なメモリを必要とする。例えば、Ｒ信号、Ｇ信号、Ｂ信号がそれぞれ１０ビットの信号である場合、３次元ＬＵＴを作成するために、約３Ｇ（＝１０２４×１０２４×１０２４×３）ビットのメモリ容量を必要とする。このように、大容量のメモリを必要とするので、色補正装置のコストが増大する。
【０００５】
本発明の目的は、上記問題を解決し、ＬＵＴに必要なメモリ容量を削減することのできる、低コストの色補正装置を提供することにある。
【課題を解決するための手段】
【０００６】
上記目的を達成するため、本発明の色補正装置は、
赤色成分、緑色成分、青色成分をそれぞれ示す第１、第２、第３の信号を含む映像信号を入力とし、該映像信号に基づいて生成される画像の色を補正する色補正装置であって、
前記第１乃至第３の信号のそれぞれについて、白色成分、黄色成分、水色成分および紫色成分をそれぞれ補正するための補正用データを生成するとともに、前記第１の信号について、前記赤色成分を補正するための補正用データを生成し、前記第２の信号について、前記緑色成分を補正するための補正用データを生成し、前記第３の信号について、前記青色成分を補正するための補正用データを生成する色補正用データ生成回路と、
前記色補正用データ生成回路で生成された補正用データが格納されるルックアップテーブルを備え、前記第１乃至第３の信号をそれぞれ入力とし、該第１乃至第３の信号について、前記ルックアップテーブルに基づく色補正を行う７軸色補正回路と、を有し、
前記色補正用データ生成回路は、指定された前記白成分の値と前記白成分の明度の変化を規定した特性とに基づいて、前記白色成分の補正データを作成するとともに、指定された前記白成分の値から赤色成分、緑色成分、青色成分、黄色成分、水色成分および紫色成分の各色への彩度または色相の変化を規定した特性に基づいて、該各色成分の補正データを作成し、
前記７軸色補正回路は、
前記第１乃至第３の信号のそれぞれについて前記白色成分の補正用データに基づく色補正を行い、
前記白色成分の色補正がなされた前記第１乃至第３の信号のそれぞれについて、前記黄色成分、水色成分および紫色成分の各補正用データに基づく色補正を行い、
前記白色成分の色補正がなされた前記第１の信号について、前記赤色成分の補正用データに基づく色補正を行い、
前記白色成分の色補正がなされた前記第２の信号について、前記緑色成分の補正用データに基づく色補正を行い、
前記白色成分の色補正がなされた前記第３の信号について、前記青色成分の補正用データに基づく色補正を行い、
前記赤色成分、黄色成分および紫色成分の各色補正がなされた信号に基づく第４の信号と、前記緑色成分、黄色成分および水色成分の各色補正がなされた信号に基づく第５の信号と、前記青色成分、水色成分および紫色成分の各色補正がなされた信号に基づく第６の信号とを含む信号を前記映像信号として出力する、ことを特徴とする。
【０００７】
本発明は、７軸色補正回路が、白色成分、赤色成分、緑色成分、青色成分、黄色成分、水色成分および紫色成分の各色に関する補正用データに基づいて色補正を行うようになっており、３次元ＬＵＴを用いた立体色補正は行われない。７軸色補正回路では、各色の補正用データに基づいて色補正行われることから、ルックアップテーブル（ＬＵＴ）は、白色成分、赤色成分、緑色成分、青色成分、黄色成分、水色成分および紫色成分の各色に関する補正用データをそれぞれ格納する７つのＬＵＴ（Ｗ用補正ＬＵＴ、Ｒ用補正ＬＵＴ、Ｇ用補正ＬＵＴ、Ｂ用補正ＬＵＴ、Ｙ用補正ＬＵＴ、Ｍ用補正ＬＵＴ、Ｃ用補正ＬＵＴ）で構成することができる。
【０００８】
白色成分、黄色成分、水色成分および紫色成分の各色の補正データはいずれも、第１の信号（Ｒ信号）、第２の信号（Ｇ信号）、第３の信号（Ｂ信号）のそれぞれについて作成されるので、Ｗ用補正ＬＵＴ、Ｙ用補正ＬＵＴ、Ｃ用補正ＬＵＴおよびＭ用補正ＬＵＴはいずれも、３つのＬＵＴで構成される。
【０００９】
赤色成分の補正データは第１の信号（Ｒ信号）についてのみ作成され、緑色成分の補正データは第２の信号（Ｇ信号）についてのみ作成され、青色成分の補正データは第３の信号（Ｂ信号）についてのみ作成されるので、Ｒ用補正ＬＵＴ、Ｇ用補正ＬＵＴおよびＢ用補正ＬＵＴはいずれも１つのＬＵＴで構成される。
【００１０】
上記の構成によれば、７軸色補正回路を構成するＬＵＴに必要なメモリ容量は、Ｗ用補正ＬＵＴ、Ｒ用補正ＬＵＴ、Ｇ用補正ＬＵＴ、Ｂ用補正ＬＵＴ、Ｙ用補正ＬＵＴ、Ｍ用補正ＬＵＴおよびＣ用補正ＬＵＴのそれぞれのメモリ容量を加算したものとなる。例えば、ＲＧＢの各信号が１０ビット幅のデジタルデータであった場合、７軸色補正回路を構成するＬＵＴのメモリ容量は、約１５ｋビットとされる。これに対して、３次元ＬＵＴにより立体色補正を行う場合のＬＵＴに必要なメモリ容量は、約３Ｇビットである。
【００１１】
また、色補正用データ生成回路は、白成分の指定値と白成分の明度の変化を規定した特性とに基づいて白色成分の補正データを作成するとともに、その白成分の指定値から赤色成分（Ｒ）、緑色成分（Ｇ）、青色成分（Ｂ）、黄色成分（Ｙ）、水色成分（Ｃ）および紫色成分（Ｍ）の各色への彩度または色相の変化を規定した特性に基づいて、該各色成分の補正データを作成する。これにより、全黒から全白まで明度変化を基準とした、ＲＧＢＣＭＹの各色についての色補正が可能となっている。
【発明の効果】
【００１２】
本発明によれば、３次元ＬＵＴによる立体色補正を行うものに比べて、ＬＵＴに必要なメモリ容量を削減することができ、それにより装置の低コスト化を図ることができる。
【発明を実施するための最良の形態】
【００１３】
次に、本発明の実施形態について図面を参照して説明する。
【００１４】
（第１の実施形態）
図１は、本発明の第１の実施形態である色補正装置の構成を示すブロック図である。
【００１５】
図１を参照すると、色補正装置は映像信号を表示または出力する映像機器に搭載されるものであって、その主要部は、マトリクス変換回路１０４、色補正用データ生成回路１０５および７軸色補正回路１０６からなる。
【００１６】
Ｒ信号が供給される入力端子１０１、Ｇ信号が供給される入力端子１０２、およびＢ信号が供給される入力端子１０３の３つの端子が、マトリクス変換回路１０４および７軸色補正回路１０６のそれぞれの入力に接続されている。ここで、Ｒ信号、Ｇ信号およびＢ信号は、三原色（ＲＧＢ）の各色に対応する信号である。これらＲ信号、Ｇ信号およびＢ信号により映像信号が形成される。
【００１７】
マトリクス変換回路１０４は、入力端子１０１〜１０３を通じて入力されたＲ信号、Ｇ信号およびＢ信号をそれぞれ、三刺激値を表すＸ信号、Ｙ信号およびＺ信号に変換する。
【００１８】
三原色のＲＧＢの信号は、一般に、３×３のマトリックス変換により三刺激値であるＸＹＺの信号に変換することができる（ＲＧＢ系からＸＹＺ系への変換）。通常、ＲＧＢ系からＸＹＺ系への変換には、以下の式１が適用される。
【００１９】
【数１】
2008235981.tif 000003
ｓＲＧＢで映像を表示する場合は、
Ｒ1＝0.412424
Ｒ2＝0.212656
Ｒ3＝0.0193324
Ｇ1＝0.357579
Ｇ2＝0.715158
Ｇ3＝0.119193
Ｂ1＝0.180464
Ｂ2＝0.0721856
Ｂ3＝0.950444
である。この場合、Ｘは赤色成分強度であり、Ｙは緑色成分強度と映像信号の輝度成分を加算したものであり、Ｚは青色成分強度である。
【００２０】
また、逆に、マトリックス変換により、ＸＹＺの信号を三原色のＲＧＢの信号に変換することもできる（ＸＹＺ系からＲＧＢ系への変換）。通常、ＸＹＺ系からＲＧＢ系への変換への変換には、以下の式２が適用される。
【００２１】
【数２】
2008235981.tif 000004
ｓＲＧＢで映像を表示する場合は、
Ｘ1＝3.24071
Ｘ2＝-0.969258
Ｘ3＝0.0556352
Ｙ1＝-1.53726
Ｙ2＝1.87599
Ｙ3＝-0.203996
Ｚ1＝-0.498571
Ｚ2＝0.0415557
Ｚ3＝1.05707
である。
【００２２】
マトリクス変換回路１０４から出力されたＸ信号、Ｙ信号およびＺ信号は、色補正用データ生成回路１０５に供給される。
【００２３】
色補正用データ生成回路１０５には、白色（Ｗ）、赤色（Ｒ）、緑色（Ｇ）、青色（Ｂ）、黄色（Ｙ）、紫色（Ｍ）、水色（Ｃ）の各色についてのＸＹＺの各値を指定した値（ＸＹＺ指定値）が外部制御部から供給される。外部制御部は、映像機器本体の制御部（ＣＰＵ）であっても、映像機器に接続される外部装置（パーソナルコンピュータなど）の制御部であってもよい。例えば、使用者が、映像機器の操作部を通じて、Ｗ、Ｒ、Ｇ、Ｂ、Ｙ、Ｍ、Ｃの各色について、所望の色温度のＸＹＺの値を設定した場合は、映像機器の制御部（ＣＰＵ）が、その設定値を指定値として色補正用データ生成回路１０５に供給する。
【００２４】
色補正用データ生成回路１０５は、マトリクス変換回路１０４から供給されたＸＹＺの各信号の値が、使用者が設定した色温度となるように、Ｗ、Ｒ、Ｇ、Ｂ、Ｙ、Ｍ、Ｃの各色について、色補正用データを生成する。具体的には、色補正用データ生成回路１０５は、Ｗの指定値と白成分の明度の変化を規定した特性とに基づいて、Ｗ補正用データを作成するとともに、Ｗの指定値からＲ、Ｇ、Ｂ、Ｙ、Ｍ、Ｃの各色への彩度または色相の変化を規定した特性に基づいて、該各色成分の補正データを作成する。
【００２５】
Ｗ、Ｒ、Ｇ、Ｂ、Ｙ、Ｍ、Ｃの各色の補正用データはそれぞれ、ＲＧＢの値に変換した形で、７軸色補正回路１０６を構成するルックアップテーブル（ＬＵＴ）のうちの対応する色のＬＵＴへ供給される。
【００２６】
７軸色補正回路１０６は、Ｗ、Ｒ、Ｇ、Ｂ、Ｙ、Ｍ、Ｃの各色を補正するためのＬＵＴを有する。図２に、７軸色補正回路１０６の構成を示す。
【００２７】
図２を参照すると、７軸色補正回路１０６は、Ｗ補正ＬＵＴ２０４、Ｒ補正ＬＵＴ２０５、Ｇ補正ＬＵＴ２０６、Ｂ補正ＬＵＴ２０７、Ｙ補正ＬＵＴ２０８、Ｃ補正ＬＵＴ２０９、Ｍ補正ＬＵＴ２１０、加算器２１１〜２１３および除算器２１４〜２１６を有する。
【００２８】
Ｗ補正ＬＵＴ２０４は、色補正用データ生成回路１０５から供給されるＷ補正用データを格納する。Ｗ補正ＬＵＴ２０４は、入力端子１０１〜１０３からＲ信号、Ｇ信号およびＢ信号がそれぞれ入力されており、入力されたＲ信号、Ｇ信号およびＢ信号のそれぞれについてＷ補正用データに基づく色補正を行う。Ｗ補正ＬＵＴ２０４で色補正されたＲ信号、Ｇ信号およびＢ信号はそれぞれ、Ｒ補正ＬＵＴ２０５、Ｇ補正ＬＵＴ２０６およびＢ補正ＬＵＴ２０７に供給される。
【００２９】
Ｒ補正ＬＵＴ２０５は、色補正用データ生成回路１０５から供給されるＲ補正用データを格納する。Ｒ補正ＬＵＴ２０５は、Ｗ補正ＬＵＴ２０４で色補正されたＲ信号に対してＲ補正用データに基づく色補正を行う。Ｒ補正ＬＵＴ２０５で色補正されたＲ信号は、加算器２１１の第１の入力に供給される。
【００３０】
Ｇ補正ＬＵＴ２０６は、色補正用データ生成回路１０５から供給されるＧ補正用データを格納する。Ｇ補正ＬＵＴ２０６は、Ｗ補正ＬＵＴ２０４で色補正されたＧ信号に対してＧ補正用データに基づく色補正を行う。Ｇ補正ＬＵＴ２０６で色補正されたＧ信号は、加算器２１２の第１の入力に供給される。
【００３１】
Ｂ補正ＬＵＴ２０７は、色補正用データ生成回路１０５から供給されるＢ補正用データを格納する。Ｂ補正ＬＵＴ２０７は、Ｗ補正ＬＵＴ２０４で色補正されたＢ信号に対してＢ補正用データに基づく色補正を行う。Ｂ補正ＬＵＴ２０７で色補正されたＢ信号は、加算器２１３の第１の入力に供給される。
【００３２】
Ｙ補正ＬＵＴ２０８は、色補正用データ生成回路１０５から供給されるＹ補正用データを格納する。Ｙ補正ＬＵＴ２０８は、Ｗ補正ＬＵＴ２０４で色補正されたＲ信号、Ｇ信号およびＢ信号がそれぞれ入力されており、入力されたＲ信号、Ｇ信号およびＢ信号に対してＹ補正用データに基づく色補正を行う。Ｙ補正ＬＵＴ２０８で色補正された信号は、加算器２１１の第３の入力および加算器２１２の第２の入力にそれぞれ供給される。
【００３３】
Ｃ補正ＬＵＴ２０９は、色補正用データ生成回路１０５から供給されるＣ補正用データを格納する。Ｃ補正ＬＵＴ２０９は、Ｗ補正ＬＵＴ２０４で色補正されたＲ信号、Ｇ信号およびＢ信号がそれぞれ入力されており、入力されたＲ信号、Ｇ信号およびＢ信号に対してＣ補正用データに基づく色補正を行う。Ｃ補正ＬＵＴ２０９で色補正された信号は、加算器２１２の第３の入力および加算器２１３の第２の入力にそれぞれ供給される。
【００３４】
Ｍ補正ＬＵＴ２１０は、色補正用データ生成回路１０５から供給されるＭ補正用データを格納する。Ｍ補正ＬＵＴ２１０は、Ｗ補正ＬＵＴ２０４で色補正されたＲ信号、Ｇ信号およびＢ信号がそれぞれ入力されており、入力されたＲ信号、Ｇ信号およびＢ信号に対してＭ補正用データに基づく色補正を行う。Ｍ補正ＬＵＴ２１０で色補正された信号は、加算器２１１の第２の入力および加算器２１３の第３の入力にそれぞれ供給される。
【００３５】
加算器２１１〜２１３のそれぞれは、第１乃至第３の入力を加算する。除算器２１４は、加算器２１１の出力値を３で割った値を出力する。除算器２１５は、加算器２１２の出力値を３で割った値を出力する。除算器２１６は、加算器２１３の出力値を３で割った値を出力する。除算器２１４の出力信号は、色補正後のＲ信号である。除算器２１５の出力信号は、色補正後のＧ信号である。除算器２１６の出力信号は、色補正後のＢ信号である。
【００３６】
次に、本実施形態の色補正装置の動作について具体的に説明する。
【００３７】
[ＸＹＺ指定値の設定]
まず、使用者によるＸＹＺ指定値の設定手順について説明する。
【００３８】
図３に、図１に示した色補正装置と外部制御部を含むシステムを示す。図３を参照すると、制御部１０が、外部制御部である。制御部１０には、キーボード（または操作パネル）などの入力部１１、ＬＣＤなどの表示部１２、およびプログラムやデータが格納される記憶部１３が接続されている。
【００３９】
制御部１０は、記憶部１３に格納されている色度図情報に基づいて表示部１２に色度図を表示させるとともに、色補正用データ生成回路１０５から供給されたＸＹＺの各信号に基づいて得られる色度座標（または色度点）を色度図上に展開する。色度座標を色度図上に展開したものが色度図分布である。ここで、色度座標は、Ｘ、Ｙ、Ｚのおのおの値と、Ｘ、Ｙ、Ｚの合計値（和）との比で与えられる。色度図は、ｘ、ｙによる２次元座標系である。
【００４０】
図４に、入力画像の一例を示し、図５に、その入力画像に基づいて得られる色度図分布の一例を示す。
【００４１】
図４を参照すると、画像４０１は、図面に向かって左側が最も彩度が大きく、右側へ行くにつれて白色に徐々に変化するような画像である。画像４０１は、ＢＫ（黒）、Ｒ、Ｇ、Ｂ、Ｙ、Ｍ、Ｃの各色が上側から順番に配置されており、それぞれの色が白色へ変化する。
【００４２】
画像４０１に関するＲ信号、Ｇ信号、Ｂ信号がマトリクス変換回路１０４に入力されると、マトリクス変換回路１０４は、その入力されたＲ信号、Ｇ信号、Ｂ信号をマトリクス変換してＸ信号、Ｙ信号、Ｚ信号を出力する。
【００４３】
マトリクス変換回路１０４から出力された画像４０１に関するＸ信号、Ｙ信号、Ｚ信号は、色補正データ生成回路１０５を介して制御部１０に供給される。制御部１０は、画像４０１に関するＸ信号、Ｙ信号、Ｚ信号に基づいて得られる色度座標を、表示部１２に表示させた色度図上に展開する。
【００４４】
こうして得られた画像４０１の色度図分布が、図５に示した色度図分布である。図５において、色度図５０８は、ｘ、ｙによって色度座標が示される周知の２次元座標系の色度図（３刺激値Ｘ、Ｙ、Ｚの比を色度ｘ、ｙとして数値化し、２次元座標系上にプロットしたＹｘｙ系色度図）である。色度図５０８の中央付近の白（グレー）色を示す領域上にポイント５０４が位置し、このポイント５０４からＧ、Ｙ、Ｒ、Ｃ、Ｂ、Ｍの各色を示す領域に向かって放射状に延びる線上にそれぞれポイント５０１、５０２、５０３、５０５、５０６、５０７が位置する。ここで、ポイント５０１、５０２、５０３、５０４、５０５、５０６、５０７はそれぞれＧ、Ｙ、Ｒ、Ｗ、Ｃ、Ｂ、Ｍを示す色度座標点（色度点）である。
【００４５】
図５に示した色度図分布におけるＧポイント５０１、Ｙポイント５０２、Ｒポイント５０３、Ｗポイント５０４、Ｃポイント５０５、Ｂポイント５０６、Ｍポイント５０７がデフォルト状態として与えられており、使用者は、これらポイントをそれぞれ移動することで、Ｗ、Ｒ、Ｇ、Ｂ、Ｙ、Ｍ、Ｃの各色について、所望の色温度を得るようなｘ値、ｙ値を指定する。
【００４６】
使用者は、入力部１１を通じて、色度図５０８上でポイントを上下左右に移動する。そのポイント移動に応じた指示信号が入力部１１から制御部１０へ供給され、制御部１０が、その指示信号に従って表示部１０に表示した色度図上で対応するポイントを移動する。この動作により、使用者は、ポイントを自由に移動することができ、Ｗ、Ｒ、Ｇ、Ｂ、Ｙ、Ｍ、Ｃの各色について、所望の色温度を得るようなｘ値、ｙ値を指定することができる。
【００４７】
[色補正用データの作成]
次に、色補正用データ生成回路１０５による色補正用データの作成手順について説明する。
【００４８】
使用者がＷ、Ｒ、Ｇ、Ｂ、Ｙ、Ｍ、Ｃの各色について、所望の色温度を得るような色度座標点（ｘ、ｙ）を指定すると、制御部１０は、各色の指定値（色度座標点）を色補正用データ生成回路１０５に供給する。色補正用データ生成回路１０５は、Ｗ、Ｒ、Ｇ、Ｂ、Ｙ、Ｍ、Ｃの各色について、制御部１０から供給された指定値に基づいて色補正用データを生成する。色度座標点（色度ｘ、ｙ）は周知の変換式に従って３刺激値Ｘ、Ｙ、Ｚに変換することができる。
【００４９】
図６は、色の指定値と色補正用データの関係を説明するための図である。図６において、色度図６０８は、図５に示した色度図５０８に対応する。Ｇポイント６０１、Ｙポイント６０２、Ｒポイント６０３、Ｗポイント６０４、Ｃポイント６０５、Ｂポイント６０６、Ｍポイント６０７はそれぞれ、使用者によって指定された色度座標点である。色補正用データ生成回路１０５は、Ｇポイント６０１、Ｙポイント６０２、Ｒポイント６０３、Ｗポイント６０４、Ｃポイント６０５、Ｂポイント６０６およびＭポイント６０７に基づいて、７軸色補正回路１０６を構成するＬＵＴに格納される補正用データを作成する。
【００５０】
ここで、７軸色補正回路１０６を構成するＬＵＴの構成について説明する。図７に、映像信号が１０ビット幅のデジタルデータである場合の、７軸色補正回路１０６を構成するＬＵＴの一例を示す。
【００５１】
図７を参照すると、ＬＵＴ３０１は、アドレス入力が映像入力とされ、出力がデータ出力とされるメモリである。アドレスは「０」から「１０２３」の範囲であり、それぞれのアドレスに対して補正データが格納されている。このＬＵＴ３０１によれば、映像信号（デジタルデータ）が補正データに従って変換される。例えば、アドレス「０」に対して補正データ「０」が格納されている場合は、アドレス入力に「０」が入力されると、出力は「０」となる。アドレス「１」に対して補正データ「２」が格納されている場合は、アドレス入力に「１」が入力されると、出力は「２」となる。アドレス「２」に対して補正データ「４」が格納されている場合は、アドレス入力に「２」が入力されると、出力データは「４」となる。
【００５２】
図２に示した７軸色補正回路１０６において、Ｗ補正ＬＵＴ２０４、Ｙ補正ＬＵＴ２０８、Ｃ補正ＬＵＴ２０９およびＭ補正ＬＵＴ２１０はいずれも、ＲＧＢの３系統の入力を備えるため、入力系統毎に、図７に示したＬＵＴを備える。すなわち、これらＬＵＴ２０４、２０８〜２０９のそれぞれは、Ｒ入力系統用、Ｇ入力系統用、およびＢ入力系統用の３つのＬＵＴを備える。一方、Ｒ補正ＬＵＴ２０５、Ｇ補正ＬＵＴ２０６およびＢ補正ＬＵＴ２０７はいずれも、入力は１系統であるので、図７に示したＬＵＴを１つ備える。
【００５３】
色補正用データ生成回路１０５は、Ｇポイント６０１、Ｙポイント６０２、Ｒポイント６０３、Ｗポイント６０４、Ｃポイント６０５、Ｂポイント６０６およびＭポイント６０７に基づいて、Ｗ、Ｒ、Ｇ、Ｂ、Ｙ、Ｍ、Ｃの各色の補正用データを作成する。
【００５４】
（１）Ｗ補正用データ：
Ｗ補正用データは、Ｗポイント６０４の色度座標点（ｘ、ｙ）の値（指定値）に基づいて作成される。具体的には、Ｗ補正ＬＵＴ２０４は、Ｒ入力系統用、Ｇ入力系統用、およびＢ入力系統用の３つのＬＵＴを備えるので、Ｗ補正用データは、それぞれのＬＵＴについて作成される。
【００５５】
以下に、Ｒ入力系統用ＬＵＴに格納される補正データの作成手順について説明する。
【００５６】
まず、Ｗポイント６０４の色度座標点（ｘ、ｙ）の値からＸ値、Ｙ値およびＺ値を得る。そして、このＸ値をアドレス「１０２３」の格納データとして用いる。アドレス「０」から「１０２２」の格納データについては、予め与えられている、黒から白への変化を規定した特性データに基づいて決定する。
【００５７】
色度ｘ、ｙから３刺激値Ｘ、Ｙ、Ｚへの変換（Ｙｘｙ系の色度図における変換）には、以下の式３、４を適用する。
【００５８】
【数３】
2008235981.tif 000005
【００５９】
【数４】
2008235981.tif 000006
特性データは、図４に示した画像４０１の黒から白への変化の大きさをＸ値で予め規定して得られる特性データである。この特性データの上限値（白）、すなわちアドレス「１０２３」の格納データをＷポイント６０４から得られたＸ値とし、下限値（黒）であるアドレス「０」からアドレス「１０２２」の格納データを算出する。こうして算出した補正データを前述の式２によりＲ値に関する補正データに変換する。
【００６０】
Ｇ入力系統用ＬＵＴおよびＢ入力系統用ＬＵＴに格納される補正データも、Ｒ入力系統用ＬＵＴに格納される補正データと同様の手順で作成される。ただし、Ｇ入力系統用ＬＵＴの補正データは、アドレス「１０２３」の格納データをＷポイント６０４から得られたＹ値として作成される。Ｂ入力系統用ＬＵＴの補正データは、アドレス「１０２３」の格納データをＷポイント６０４から得られたＺ値として作成される。
【００６１】
このようにして、ＸＹＺ指定値に適合させるように、明度０〜１０２３まで演算を行って、解像度１０２４でのＸＹＺの値を算出し、算出した値を前述の式２を用いてＲＧＢの値に変換することで、ＲＧＢの各値に関する補正データが作成される。
【００６２】
（２）Ｒ補正用データ：
Ｒ補正用データは、Ｗポイント６０４とＲポイント６０３に基づいて作成される。Ｒ補正ＬＵＴ２０５は、図７に示した１つのＬＵＴを備えるので、Ｒ補正用データは、１つのＬＵＴについて作成される。
【００６３】
以下に、Ｒ補正用データの作成手順について説明する。
【００６４】
まず、Ｗポイント６０４の色度座標点（ｘ、ｙ）の値からＸ値、Ｙ値およびＺ値を得る。また、Ｒポイント６０３の色度座標点（ｘ、ｙ）の値からＸ値、Ｙ値およびＺ値を得る。そして、このＸ値をアドレス「１０２３」の格納データとして用いる。アドレス「０」から「１０２２」の格納データについては、予め与えられている、赤から白への変化を規定した特性データに基づいて決定する。
【００６５】
特性データは、図４に示した画像４０１の赤から白への変化の大きさをＸ値で予め規定して得られる特性データであって、より具体的には、図６に示した色度図分布上で、Ｗポイント６０４とＲポイント６０３を結ぶ直線（または曲線）を規定した特性データである。この特性データの上限値（白）、すなわちアドレス「１０２３」の格納データをＷポイント６０４から得られたＸ値とし、下限値（赤）、すなわちアドレス「０」の格納データをＲポイント６０３から得られたＸ値とし、アドレス「１」からアドレス「１０２２」の格納データを算出する。ここで、アドレス「１」からアドレス「１０２２」の格納データは、Ｗポイント６０４とＲポイント６０３を結ぶ直線（または曲線）上に位置する。こうして算出した補正データを前述の式２を用いてＲ値に関する補正データに変換する。
【００６６】
（３）Ｇ補正用データ：
Ｇ補正用データは、Ｗポイント６０４とＧポイント６０１に基づいて作成される。このＧ補正用データもＲ補正用データと同様の手順で作成されるが、特性データとして、Ｗポイント６０４とＧポイント６０１を結ぶ直線（または曲線）を規定した特性データが用いられる。そして、上限値（白）であるアドレス「１０２３」の格納データをＷポイント６０４から得られたＹ値とし、下限値（緑）であるアドレス「０」の格納データをＧポイント６０１から得られたＹ値として、アドレス「１」からアドレス「１０２２」の格納データを算出する。ここで、アドレス「１」からアドレス「１０２２」の格納データは、Ｗポイント６０４とＧポイント６０１を結ぶ直線（または曲線）上に位置する。こうして算出した補正データを前述の式２を用いてＧ値に関する補正データに変換する。
【００６７】
（４）Ｂ補正用データ：
Ｂ補正用データは、Ｗポイント６０４とＢポイント６０６に基づいて作成される。このＢ補正用データもＲ補正用データと同様の手順で作成されるが、特性データとして、Ｗポイント６０４とＢポイント６０６を結ぶ直線（または曲線）を規定した特性データが用いられる。そして、上限値（白）であるアドレス「１０２３」の格納データをＷポイント６０４から得られたＺ値とし、下限値（青）であるアドレス「０」の格納データをＢポイント６０６から得られたＺ値として、アドレス「１」からアドレス「１０２２」の格納データを算出する。ここで、アドレス「１」からアドレス「１０２２」の格納データは、Ｗポイント６０４とＢポイント６０６を結ぶ直線（または曲線）上に位置する。こうして算出した補正データを前述の式２を用いてＢ値に関する補正データに変換する。
【００６８】
（５）Ｙ補正用データ：
Ｙ補正用データは、Ｗポイント６０４とＹポイント６０２に基づいて作成される。このＹ補正用データも前述のＷ補正用データと同様の手順で作成されるが、特性データとして、Ｗポイント６０４とＹポイント６０２を結ぶ直線（または曲線）を規定した特性データが用いられる。
【００６９】
Ｒ入力系統用ＬＵＴに格納される補正データは、特性データの上限値（白）であるアドレス「１０２３」の格納データをＷポイント６０４から得られたＸ値とし、下限値（黄）であるアドレス「０」の格納データをＹポイント６０２から得られたＸ値として、アドレス「１」からアドレス「１０２２」の格納データを算出する。ここで、アドレス「１」からアドレス「１０２２」の格納データは、Ｗポイント６０４とＹポイント６０２を結ぶ直線（または曲線）上に位置する。こうして算出した補正データを前述の式２を用いてＲ値に関する補正データに変換する。
【００７０】
Ｇ入力系統用ＬＵＴおよびＢ入力系統用ＬＵＴに格納される補正データも、Ｒ入力系統用ＬＵＴに格納される補正データと同様の手順で作成される。ただし、Ｇ入力系統用ＬＵＴの補正データは、アドレス「１０２３」の格納データをＷポイント６０４から得られたＹ値とし、アドレス「０」の格納データをＹポイント６０２から得られたＹ値として作成される。Ｂ入力系統用ＬＵＴの補正データは、アドレス「１０２３」の格納データをＷポイント６０４から得られたＺ値とし、アドレス「０」の格納データをＹポイント６０２から得られたＺ値として作成される。
【００７１】
（６）Ｍ補正用データ：
Ｍ補正用データは、Ｗポイント６０４とＭポイント６０７に基づいて作成される。このＭ補正用データも、Ｙ補正用データと同様の手順で作成されるが、特性データとして、Ｗポイント６０４とＭポイント６０７を結ぶ直線（または曲線）を規定した特性データが用いられる。
【００７２】
（７）Ｃ補正用データ：
Ｃ補正用データは、Ｗポイント６０４とＣポイント６０５に基づいて作成される。このＣ補正用データも、Ｙ補正用データと同様の手順で作成されるが、特性データとして、Ｗポイント６０４とＣポイント６０５を結ぶ直線（または曲線）を規定した特性データが用いられる。
【００７３】
以上のようにして、７軸色補正回路１０６を構成する各ＬＵＴに格納される補正用データを作成することで、全黒から全白まで、ＸＹＺによる色管理が可能となる。
【００７４】
[色補正処理]
次に、７軸色補正回路１０６による色補正処理の手順について説明する。
【００７５】
映像信号が７軸色補正回路１０６に入力されると、７軸色補正回路１０６では、まず、Ｗ補正ＬＵＴ２０４にてＷ補正データに基づく色補正が行われる。具体的は、Ｗ補正ＬＵＴ２０４を構成するＲ入力系統用ＬＵＴ、Ｇ入力系統用ＬＵＴおよびＢ入力系統用ＬＵＴが、映像信号として供給されるＲ信号、Ｇ信号およびＢ信号をそれぞれ、色補正用データ生成回路１０５によって格納された補正データに従って色補正を行う。
【００７６】
Ｗ補正ＬＵＴ２０４のＲ入力系統用ＬＵＴで色補正されたＲ信号は、Ｒ補正ＬＵＴ２０５、Ｙ補正ＬＵＴ２０８、Ｃ補正ＬＵＴ２０９およびＭ補正ＬＵＴ２１０に供給される。Ｗ補正ＬＵＴ２０４のＧ入力系統用ＬＵＴで色補正されたＧ信号は、Ｇ補正ＬＵＴ２０６、Ｙ補正ＬＵＴ２０８、Ｃ補正ＬＵＴ２０９およびＭ補正ＬＵＴ２１０に供給される。Ｗ補正ＬＵＴ２０４のＢ入力系統用ＬＵＴで色補正されたＢ信号は、Ｂ補正ＬＵＴ２０７、Ｙ補正ＬＵＴ２０８、Ｃ補正ＬＵＴ２０９およびＭ補正ＬＵＴ２１０に供給される。
【００７７】
次に、Ｒ補正ＬＵＴ２０５、Ｇ補正ＬＵＴ２０６、Ｂ補正ＬＵＴ２０７、Ｙ補正ＬＵＴ２０８、Ｃ補正ＬＵＴ２０９およびＭ補正ＬＵＴ２１０が、Ｗ補正ＬＵＴ２０４から供給されたＲＧＢの各信号に対して色補正を行う。
【００７８】
Ｒ補正ＬＵＴ２０５では、Ｗ補正ＬＵＴ２０４から供給されたＲ信号に対して、色補正用データ生成回路１０５によって格納された補正データに基づく色補正が施される。Ｒ補正ＬＵＴ２０５で色補正が施されたＲ信号は、加算器２１１の第１の入力に供給される。
【００７９】
Ｇ補正ＬＵＴ２０６では、Ｗ補正ＬＵＴ２０４から供給されたＧ信号に対して、色補正用データ生成回路１０５によって格納された補正データに基づく色補正が施される。Ｇ補正ＬＵＴ２０６で色補正が施されたＧ信号は、加算器２１２の第１の入力に供給される。
【００８０】
Ｂ補正ＬＵＴ２０７では、Ｗ補正ＬＵＴ２０４から供給されたＢ信号に対して、色補正用データ生成回路１０５によって格納された補正データに基づく色補正が施される。Ｂ補正ＬＵＴ２０７で色補正が施されたＢ信号は、加算器２１３の第１の入力に供給される。
【００８１】
Ｙ補正ＬＵＴ２０８では、Ｒ入力系統用ＬＵＴ、Ｇ入力系統用ＬＵＴおよびＢ入力系統用ＬＵＴが、Ｗ補正ＬＵＴ２０４から供給されたＲ信号、Ｇ信号およびＢ信号をそれぞれ、色補正用データ生成回路１０５によって格納された補正データに従って色補正を行う。そして、Ｙ補正ＬＵＴ２０８は、Ｒ入力系統用ＬＵＴ、Ｇ入力系統用ＬＵＴおよびＢ入力系統用ＬＵＴで色補正を施したＲ信号、Ｇ信号およびＢ信号を加算した信号を出力する。このＹ補正ＬＵＴ２０８の出力は、加算器２１１の第３の入力および加算器２１２の第２の入力に供給される。
【００８２】
Ｃ補正ＬＵＴ２０９では、Ｒ入力系統用ＬＵＴ、Ｇ入力系統用ＬＵＴおよびＢ入力系統用ＬＵＴが、Ｗ補正ＬＵＴ２０４から供給されたＲ信号、Ｇ信号およびＢ信号をそれぞれ、色補正用データ生成回路１０５によって格納された補正データに従って色補正を行う。そして、Ｃ補正ＬＵＴ２０９は、Ｒ入力系統用ＬＵＴ、Ｇ入力系統用ＬＵＴおよびＢ入力系統用ＬＵＴで色補正を施したＲ信号、Ｇ信号およびＢ信号を加算した信号を出力する。このＣ補正ＬＵＴ２０９の出力は、加算器２１２の第３の入力および加算器２１３の第２の入力に供給される。
【００８３】
Ｍ補正ＬＵＴ２１０では、Ｒ入力系統用ＬＵＴ、Ｇ入力系統用ＬＵＴおよびＢ入力系統用ＬＵＴが、Ｗ補正ＬＵＴ２０４から供給されたＲ信号、Ｇ信号およびＢ信号をそれぞれ、色補正用データ生成回路１０５によって格納された補正データに従って色補正を行う。そして、Ｍ補正ＬＵＴ２１０は、Ｒ入力系統用ＬＵＴ、Ｇ入力系統用ＬＵＴおよびＢ入力系統用ＬＵＴで色補正を施したＲ信号、Ｇ信号およびＢ信号を加算した信号を出力する。このＣ補正ＬＵＴ２１０の出力は、加算器２１３の第３の入力および加算器２１１の第２の入力に供給される。
【００８４】
次に、加算器２１１〜２１３のそれぞれが、第１乃至第３の入力に供給された信号を加算する。加算器２１１〜２１３による加算処理は、次のような原理に基づく。
【００８５】
Ｒポイント６０３の隣の色ポイントは、Ｙポイント６０２とＭポイント６０７である。このため、Ｒ信号を色補正するために、Ｒ色に隣接するＹＭの色を参照する。同様の理由により、Ｇ信号を色補正するために、Ｇ色に隣接するＣＹの色を参照し、Ｂ信号を色補正するために、Ｂ色に隣接するＭＣの色を参照する。この原理により、ＲＧＢＣＭＹの各色に関する補正が可能となる。
【００８６】
加算器２１１の出力は除算器２１４に供給され、加算器２１２の出力は除算器２１５に供給され、加算器２１３の出力は除算器２１６に供給される。
【００８７】
最後に、除算器２１４〜２１６が、加算器２１１〜２１３の出力に対して１／３処理を施す。この除算器２１４〜２１６の出力が色補正後のＲＧＢの各信号とされる。
【００８８】
本実施形態の色補正装置は、白成分であるＷ（グレー）に関する補正を先行して行い、その後、ＲＧＢＣＭＹの各色の補正を行うように構成されている。この構成により、全黒から全白まで、ＲＧＢＣＭＹの各色についての補正が可能となっている。
【００８９】
本実施形態の色補正装置によれば、例えば、ＲＧＢの各信号が１０ビット幅のデジタルデータであった場合、７軸色補正回路１０６を構成するＬＵＴのメモリ容量は、約１５ｋビットとされる。ここで、Ｗ補正ＬＵＴ２０４、Ｙ補正ＬＵＴ２０８、Ｃ補正ＬＵＴ２０９およびＭ補正ＬＵＴ２１０のメモリ容量はそれぞれ、３０７２（＝１０２４×３）ビットである。Ｒ補正ＬＵＴ２０５、Ｇ補正ＬＵＴ２０６およびＢ補正ＬＵＴ２０７のメモリ容量はそれぞれ、１０２４ビットである。一方、３次元ＬＵＴにより立体色補正を行う場合のメモリ容量は、約３Ｇビットである。したがって、約１／２０００００のメモリ削減が可能である。
【００９０】
また、ＲＧＢＣＭＹの各色の補正データは、白色成分の指定座標点から各色成分の指定座標点を結ぶ直線または曲線を規定した特性に基づいて作成される。この場合、使用者は、色度図上で、ＲＧＢＣＭＹの各色の座標点を指定する、といった簡単な操作で、色補正のための設定を行うことができる。
【００９１】
さらに、使用者は、色補正の設定において、白色成分の指定座標点と各色成分の指定座標点との関係から、色の改善効果を容易に想像することができる。
【００９２】
加えて、使用者は、ＷからＲＧＢＣＭＹの各色についての彩度や色相の変化具合を自由に設定することができるので、より細かな色補正を行うことができる。
【００９３】
また、人間にとって最も記憶される色（記憶色）である肌色にとって、最も重要な色であるＹ（黄）については、図６に示したように、Ｗポイント６０４とＹポイント６０２を結ぶ線を曲線にすることが望ましい。こうすることによって、肌色を、より人間の記憶色に近づけることが可能となる。なお、図６のような設定をした場合、Ｙ（黄）について、彩度の中間ポイントは赤っぽくなる。
【００９４】
以上説明した本実施形態の色補正装置は、本発明の一例であり、その構成および動作は発明の趣旨を逸脱しない範囲で適宜に変更することができる。
【００９５】
例えば、７軸色補正回路１０６は、図８に示す構成にしてもよい。図８を参照すると、７軸色補正回路１０６は、加算器２１１〜２１３および除算器２１４〜１２６に代えて、加算器７１１〜７１３、７１７〜７１９および除算器７１４〜７１６、７２０〜７２２を有し、この点が、図２に示した構成と異なる。
【００９６】
加算器７１１は、Ｒ補正ＬＵＴ２０５の出力とＹ補正ＬＵＴ２０８の出力を加算する。加算器７１１は、Ｇ補正ＬＵＴ２０６の出力とＣ補正ＬＵＴ２０９の出力を加算する。加算器７１３は、Ｂ補正ＬＵＴ２０７の出力とＭ補正ＬＵＴ２１０の出力を加算する。
【００９７】
除算器７１４は、加算器７１１の出力を２で割った値を出力する。除算器７１５は、加算器７１２の出力を２で割った値を出力する。除算器７１６は、加算器７１３の出力を２で割った値を出力する。
【００９８】
加算器７１７は、Ｍ補正ＬＵＴ２１０の出力と除算器７１４の出力を加算する。加算器７１８は、Ｙ補正ＬＵＴ２０８の出力と除算器７１５の出力を加算する。加算器７１９は、Ｃ補正ＬＵＴ２０９の出力と除算器７１６の出力を加算する。
【００９９】
除算器７２０は、加算器７１７の出力を２で割った値を出力する。除算器７２１は、加算器７１８の出力を２で割った値を出力する。除算器７２２は、加算器７１９の出力を２で割った値を出力する。
【０１００】
上記の構成によれば、除算器はいずれも、１／２処理を行う回路であるので、１ビットシフトが行われるシフト型除算器（１ビットシフト回路）で構成することができる。ここで、シフト型除算器は、ビットを右方向に１ビットごとずらすことで１／２処理を行うものである。例えば、８ビットのデータの場合は、
シフト前：１０００００００
シフト後：０１００００００
といったシフト処理が行われる。このシフト後の値が１／２処理を行った値となる。このようなシフト型除算器はデジタル回路に適しており、回路構成も簡単であるので、１／３処理を行う除算器を用いる場合に比べて、回路規模を削減することができる。
【０１０１】
また、図１に示した構成において、色補正データ生成回路１０５は、ＣＰＵなどの制御部によって実現される機能であってもよい。この場合、制御部は、映像機器本体の制御部（例えば図３に示した制御部１０）であってもよい。
【０１０２】
また、色度図としては、CIE XYZ表色系の三次元の色空間を二次元座標上の領域として表現した色度図など、種々の色度図を適用することが可能である。
【０１０３】
本発明の色補正装置は、プロジェクタ、液晶ディスプレイやプラズマディスプレイなどの表示装置、カラープリンタやカラー複写機などの出力装置や電子カメラなど、画像データに基づく画像処理が行われる映像機器全般に適用することができる。
【０１０４】
一例として、以下に、本発明の色補正装置を備える表示装置について説明する。
【０１０５】
図９に、本発明の色補正装置を適用した表示装置の構成を示す。図９を参照すると、表示装置は、ランプ１４３からの光束で照明される表示デバイス１４４と、この表示デバイス１４４で形成された映像光を不図示のスクリーン上に投映するためのレンズ１４５と、入力信号に対して映像信号処理を行う映像信号処理回路１４０と、色補正回路１４１と、表示デバイス１４４を駆動するための表示デバイス駆動回路１４２とを有する。色補正回路１４１が、本発明の色補正装置であり、これ以外の構成は、既存のものである。
【０１０６】
この表示装置では、映像信号処理回路１４０から色補正回路１４１へ映像信号が供給され、色補正回路１４１にて入力映像信号に対する色補正処理がなされる。そして、表示デバイス駆動回路１４２が、色補正回路１４１からの色補正がなされた映像信号に基づいて表示デバイス１４４を駆動する。
【産業上の利用可能性】
【０１０７】
本発明は、プロジェクタ、液晶ディスプレイやプラズマディスプレイなどの表示装置、カメラやビデオカメラなどの撮像装置、映像を記録または再生もしくは記録再生する装置など、映像データを表示または出力する映像機器全般に適用することができる。
【図面の簡単な説明】
【０１０８】
【図１】本発明の第１の実施形態である色補正装置の構成を示すブロック図である。
【図２】図１に示す７軸色補正回路の一例を示すブロック図である。
【図３】図１に示す色補正装置と外部制御部を含むシステムの一例を示すブロック図である。
【図４】入力画像の一例を示す模式図である。
【図５】図４に示す入力画像に基づいて得られる色度図分布の一例を示す模式図である。
【図６】色の指定値と色補正用データの関係を説明するための図である。
【図７】図１に示す７軸色補正回路を構成するＬＵＴの一例を示す模式図である。
【図８】図１に示す７軸色補正回路の他の例を示すブロック図である。
【図９】本発明の色補正装置を適用した表示装置の構成を示すブロック図である。
【符号の説明】
【０１０９】
１０４  マトリクス変換回路
１０５  色補正用データ生成回路
１０６  ７軸色補正回路
【図１】
2008235981.tif 000007
【図２】
2008235981.tif 000008
【図３】
2008235981.tif 000009
【図５】
2008235981.tif 000010
【図６】
2008235981.tif 000011
【図７】
2008235981.tif 000012
【図８】
2008235981.tif 000013
【図９】
2008235981.tif 000014
【図４】
2008235981.tif 000015